(57)【要約】【課題】ネックストラップが取り付けられた携帯機器をケースから取り出して使用する際に、ケースがネックストラップから離れないようにすることができるとともに、携帯機器使用時の邪魔にならないようにする。【解決手段】ストラップ取付部６２を有するデジタルカメラ６０が収納されるケース本体２０に対して、カメラ取出口２２に隣接する側面にストラップ挿通孔２４を形成する。ケース本体２０に収納されたデジタルカメラ６０のストラップ取付部６２は、ケース本体２０のストラップ挿通孔２４を介してハンドストラップ４０と接続され、ハンドストラップ４０は、ネックストラップ５０に接続される。ケース本体２０からデジタルカメラ６０を取り出すと、ケース本体２０はハンドストラップ４０に吊り下げられた状態で保持される。【選択図】      図１
2006136636.tif 000002
【特許請求の範囲】
【請求項１】
ストラップ取付部を有する携帯機器が収納されるケース本体と、
前記ケース本体に形成され、前記携帯機器が出し入れされる取出口と、
前記ケース本体の前記取出口に隣接する側面に形成されたストラップ挿通孔であって、前記携帯機器の収納時に該携帯機器のストラップ取付部が臨む位置に形成されたストラップ挿通孔と、
を備えたことを特徴とする携帯機器用ケース。
【請求項２】
前記ケース本体は、略直方体形状に形成され、長辺側の側面に前記取出口を有するとともに、短辺側の側面に前記ストラップ挿通孔を有することを特徴とする請求項１に記載の携帯機器用ケース。
【請求項３】
前記ケース本体の取出口を開閉する蓋を有することを特徴とする請求項１又は２に記載の携帯機器用ケース。
【請求項４】
前記携帯機器のストラップ取付部に取り付けられ、前記ストラップ挿通孔に挿通自在なハンドストラップと、前記ハンドストラップに接続可能なネックストラップとを更に備えたことを特徴とする請求項１乃至３のいずれかに記載の携帯機器用ケース。
【請求項５】
前記ハンドストラップ及びネックストラップの少なくとも一方は、両者の接続時にストラップの輪を開閉するための留め金を備えていることを特徴とする請求項４に記載の携帯機器用ケース。
【請求項６】
前記ネックストラップは、該ネックストラップの長さを調節する長さ調節部を有することを特徴とする請求項４又は５記載の携帯機器用ケース。
【発明の詳細な説明】
【技術分野】
【０００１】
本発明は携帯機器用ケースに係り、特にデジタルカメラ、携帯電話、携帯情報端末機（ＰＤＡ）などの携帯機器をネックストラップで吊り下げて利用するのに好適な携帯機器用ケースに関する。
【背景技術】
【０００２】
従来、カメラケースにネックストラップが取り付けられたネックストラップ付きカメラケースがある。このネックストラップ付きカメラケースは、撮影時にカメラをケースから取り出してもネックストラップにケースを吊り下げた状態でカメラを使用することができるため、ケースが邪魔にならないという利点がある。しかしながら、カメラケースからのカメラの取出及び収納時やカメラ使用時にカメラを落とすおそれがある。
【０００３】
これに対し、袋状のカメラカバーの底部に挿通孔を設け、この挿通孔を介してカメラのストラップ取付部にネックストラップを取り付けることができるカメラカバーセットが提案されている（特許文献１）。
【０００４】
また、特許文献１に記載のカメラカバーセットと同じ機能をもったカメラケースも市販されている（非特許文献１）。
【０００５】
図４は非特許文献１に記載のカメラケースからカメラを取り出して撮影する状態に関して示している。
【０００６】
図４に示すように、このカメラケース１は、底部１Ａにストラップ挿通孔２が形成されており、ネックストラップ３は、その先端部の輪３Ａがストラップ挿通孔２を介してカメラ４のストラップ取付部５に取り付けられている。撮影時には、カメラケース１の底部１Ａと対向するカメラ取出口（図示せず）からカメラ３を引き出し、又はネックストラップ４に沿ってカメラケース１を移動させて、カメラケース１からカメラ４を取り出す。
【０００７】
このとき、カメラケース１は、ネックストラップ４に保持されるため、カメラケース１の置き場所に困るという問題がなく、また、カメラ４は、ネックストラップ３と接続されているため、カメラ４が落下するおそれがない。
【特許文献１】特開２００３−９９３０号公報
【非特許文献１】「Kodak EasyShare LS753 Zoom  デジタルカメラ」専用ケース[ 平成16年10月19日検索] 、インターネット<URL:http://www.kodak.com/JP/ja/corp/news/0904/060904.shtml>
【発明の開示】
【発明が解決しようとする課題】
【０００８】
しかしながら、非特許文献１に記載のカメラケース１は、撮影時にネックストラップ３の先端にその全長が貫通した状態で保持されるため、カメラ４を把持して構えるときに手の邪魔になり、カメラ操作がやり難いという問題がある。特に、ネックストラップ３に張力が働くようにカメラ４を構えて撮影すると、手振れを防止することができることが知られているが、この場合、ネックストラップ３が所定の角度を持って広がるため、カメラケース１は、ネックストラップ３によってカメラ４側に押し付けられるという問題がある。
【０００９】
また、通常、カメラは横長の形状を有し、カメラ側面にストラップ取付部が設けられているため、カメラケースの底部にストラップ挿通孔を形成すると、カメラ取出口が小さくなるとともに、カメラケースからカメラを取り出すためのストロークも長くなるため、カメラケースからカメラを取り出し難いという問題がある。
【００１０】
本発明はこのような事情に鑑みてなされたもので、ネックストラップが取り付けられた携帯機器をケースから取り出して使用する際に、ケースがネックストラップから離れないようにすることができるとともに、携帯機器使用時の邪魔にならないようにすることができ、また、携帯機器の取り出しも容易に行うことができる携帯機器用ケースを提供することを目的とする。
【課題を解決するための手段】
【００１１】
前記目的を達成するために請求項１に係る携帯機器用ケースは、ストラップ取付部を有する携帯機器が収納されるケース本体と、前記ケース本体に形成され、前記携帯機器が出し入れされる取出口と、前記ケース本体の前記取出口に隣接する側面に形成されたストラップ挿通孔であって、前記携帯機器の収納時に該携帯機器のストラップ取付部が臨む位置に形成されたストラップ挿通孔と、を備えたことを特徴としている。
【００１２】
即ち、ストラップ取付部を有する携帯機器が収納されるケース本体に対して、携帯機器の取出口に隣接する側面にストラップ挿通孔を形成するようにしている。従って、ケース本体に収納された携帯機器のストラップ取付部は、ケース本体のストラップ挿通孔を介してストラップと接続することができ、また、ケース本体から携帯機器を取り出した場合には、ケース本体をストラップに吊り下げた状態で保持することができる。特に、携帯機器の取出口とストラップ挿通孔とは互いに隣接する側面に形成されているため、ストラップに吊り下げられた状態のケース本体は、その一部がストラップに引っかかるように吊り下げられるため、携帯機器の使用時に邪魔にならない。
【００１３】
請求項２に示すように請求項１に記載の携帯機器用ケースにおいて、前記ケース本体は、略直方体形状に形成され、長辺側の側面に前記取出口を有するとともに、短辺側の側面に前記ストラップ挿通孔を有することを特徴としている。ケース本体の長辺側の側面に取出口が形成されるため、取出口を大きくすることができ、ケース本体からの携帯機器の取り出しが容易になる。
【００１４】
請求項３に示すように請求項１又は２に記載の携帯機器用ケースにおいて、前記ケース本体の取出口を開閉する蓋を有することを特徴としている。携帯機器をケース本体に収納した際に取出口を閉じることにより携帯機器をより良好に保護することができる。
【００１５】
請求項４に示すように請求項１乃至３のいずれかに記載の携帯機器用ケースにおいて、前記携帯機器のストラップ取付部に取り付けられ、前記ストラップ挿通孔に挿通自在なハンドストラップと、前記ハンドストラップに接続可能なネックストラップとを更に備えたことを特徴としている。
【００１６】
請求項５に示すように請求項４に記載の携帯機器用ケースにおいて、前記ハンドストラップ及びネックストラップの少なくとも一方は、両者の接続時にストラップの輪を開閉するための留め金を備えていることを特徴としている。ハンドストラップに対してネックストラップを着脱することができる。
【００１７】
請求項６に示すように請求項４又は５に記載の携帯機器用ケースにおいて、前記ネックストラップは、該ネックストラップの長さを調節する長さ調節部を有することを特徴としている。これにより、ネックストラップの長さを任意に調節することができる。
【発明の効果】
【００１８】
本発明によれば、ストラップ取付部を有する携帯機器が収納されるケース本体に対して、携帯機器の取出口に隣接する側面にストラップ挿通孔を形成するようにしたため、ネックストラップが取り付けられた携帯機器をケースから取り出して使用する際に、ケースがネックストラップから離れないようにすることができるとともに、携帯機器使用時の邪魔にならないようにすることができ、また、携帯機器の取り出しも容易に行うことができる。
【発明を実施するための最良の形態】
【００１９】
以下添付図面に従って本発明に係る携帯機器用ケースの好ましい実施の形態について詳説する。
【００２０】
図１及び図２はそれぞれ本発明に係る携帯機器用ケースの実施の形態を示す斜視図であり、図１はケース本体に携帯機器（デジタルカメラ）が収納された状態、図２はケース本体からデジタルカメラを取り出した状態に関して示している。
【００２１】
図１及び図２に示すように、この携帯機器用ケース１０は、デジタルカメラ６０の専用のカメラケースであり、ケース本体２０と、蓋３０と、ハンドストラップ４０と、ネックストラップ５０とから構成されている。上記ケース本体２０、蓋３０、ハンドストラップ４０及びネックストラップ５０は、それぞれ本革製のものである。尚、カメラケース１０は、本革製に限らず、合成皮革製、ナイロン製等の材質のものでもよい。
【００２２】
ケース本体２０は、デジタルカメラ６０のサイズに合った略直方体形状に形成されており、長辺側の側面にはカメラ取出口２２が形成され、カメラ取出口２２に隣接する短辺側の側面には、ストラップ挿通孔２４が形成されている。
【００２３】
デジタルカメラ６０の側面（右手で把持される側面）の中央には、ストラップ取付部６２が設けられている。前記ストラップ挿通孔２４は、ケース本体２０の短辺側の側面の中央に形成されており、デジタルカメラ６０がケース本体２０に収納されると、ストラップ取付部６２は、ストラップ挿通孔２４が形成された位置にくる。
【００２４】
また、ケース本体２０には、カメラ取出口２２を開閉する蓋３０が取り付けられている。この蓋３０には、マグネットホックを構成するオス側ホック３２Ａが取り付けられ、ケース本体２０には、メス側ホック３２Ｂが取り付けられている。このマグネットホックにより、蓋３０は、簡単に開け閉めすることができる。尚、蓋３０の締着手段としては、マグネットホックに限らず、マジックテープなどを使用してもよい。
【００２５】
ハンドストラップ４０は、デジタルカメラ６０のストラップ取付部６２に挿入されて取り付けられる小さい輪４２と、手首が挿通可能な大きい輪４４とを有し、大きい輪４４の一端には、半円状のリング４６が取り付けられ、他端には、外れ防止用のストッパ付きのフック４８が取り付けられている。
【００２６】
フック４８をリング４６に掛けたり外したりすることにより、ハンドストラップ４０の大きい方の輪４４を開閉することができるようになっている。尚、ストラップの輪４４を開閉するための留め金としては、バックル、ピンドルフック、引き輪などの他の手段を用いることができる。
【００２７】
ネックストラップ５０は、前記ハンドストラップ４０の輪４４と接続（連結）される小さい輪５２と、首に掛けるための大きい輪５４とを有している。ネックストラップ５０の小さい輪５２にハンドストラップ４０の大きな輪４４を通すことにより、ネックストラップ５０をハンドストラップ４０に接続することができる。
【００２８】
また、ネックストラップ５０の大きな輪５４は、その一端の固定部５６を輪５４に沿って移動させることにより、ネックストラップ５０の長さを調節することができるようになっている。
【００２９】
上記構成のカメラケース１０において、図１に示すようにケース本体２０にデジタルカメラ６０が収納された状態から蓋３０を開け、デジタルカメラ６０をケース本体２０のカメラ取出口２２から取り出すと、図２に示すようにハンドストラップ４４がストラップ挿通孔２４からケース本体２０内に入り込む。尚、ケース本体２０の長辺側の側面にカメラ取出口２２が形成されているため、カメラ取出口２２を大きくすることができ、ケース本体２２からデジタルカメラ６０を容易に取り出すことができる。
【００３０】
図３は撮影時にネックストラップ５０を首に掛けた状態でデジタルカメラ６０を構えた状態に関して示している。
【００３１】
同図に示すように、ネックストラップ５０を首に掛けた状態でデジタルカメラ６０をケース本体２０から取り出すと、ケース本体２０は、ハンドストラップ４０に吊り下げられた状態で保持される。これにより、ケース本体２０の置き場所に困るという問題がなく、また、デジタルカメラ６０は、ハンドストラップ４０を介してネックストラップ５０と接続されているため、デジタルカメラ６０が落下するおそれがない。
【００３２】
また、ハンドストラップ４０は、ケース本体２０の角部を横切るように（即ち、互いに隣接する側面に形成されたストラップ挿通孔２４とカメラ取出口２２との間を通過するように）挿通されるため、ケース本体２０は、その一部がハンドストラップ４０に引っかかり、ケース本体２０の大部分がハンドストラップ４０の下方に位置することになる。
【００３３】
更に、手振れを防止できるようにハンドストラップ４０とネックストラップ５０に張力が働くようにデジタルカメラ６０を構えた場合、ハンドストラップ４０は、張力が働いてもストラップの輪が広がることがないため、ケース本体２０は、ハンドストラップ４０の長さの範囲内で適宜移動させることができる。これにより、ネックストラップ５０を首に掛けた状態で撮影を行う際に、ケース本体２０が邪魔にならないようにすることができる。
【００３４】
尚、この実施の形態では、ハンドストラップにストラップの輪を開閉するための留め金を設けるようにしたが、ネックストラップ側にストラップの輪を開閉するための留め金を設けるようにしてもよい。また、ハンドストラップやネックストラップとしては、この実施の形態のものに限らずに、市販されているものを使用することができる。更に、この実施の形態では、デジタルカメラを収納するカメラケースについて説明したが、これに限らず、本発明は、携帯電話、ＰＤＡ等の他の携帯機器用ケースにも適用することができる。
【図面の簡単な説明】
【００３５】
【図１】図１は本発明に係る携帯機器用ケースの実施の形態を示す斜視図であり、ケース本体にデジタルカメラが収納された状態を示す図である。
【図２】図２は本発明に係る携帯機器用ケースの実施の形態を示す斜視図であり、ケース本体からデジタルカメラを取り出した状態を示す図である。
【図３】図３は撮影時にネックストラップを首に掛けた状態でデジタルカメラを構えた状態を示す図である。
【図４】図４は従来のカメラケースからカメラを取り出して撮影する状態を示す図である。
【符号の説明】
【００３６】
１０…携帯機器用ケース（カメラケース）、２０…ケース本体、２２…カメラ取出口、２４…ストラップ挿通孔、３０…蓋、３２Ａ…マグネットホックのオス側ホック、３２Ｂ…マグネットホックのメス側ホック、４０…ハンドストラップ、４２、４４、５２、５４…輪、４６…リング、４８…フック、５０…ネックストラップ、５６…固定部、６０…デジタルカメラ、６２…ストラップ取付部
【図１】
2006136636.tif 000003
【図２】
2006136636.tif 000004
【図３】
2006136636.tif 000005
【図４】
2006136636.tif 000006